(57)【要約】【課題】天吊り型空調機の設置時に作業者一人でも容易に作業を行うことができ、作業効率の向上を図り得る天吊り型空調機の支持構造を提供する。【解決手段】支持構造１０は、天井裏に固定された吊下げボルト３０を、天吊り型空調機３に設けた連結部１３の挿通孔２０に挿通し、吊下げボルト３０に螺合したナット３１が挿通孔２０の周縁の下面に当接して、天吊り型空調機３の荷重をナット３１及び吊下げボルト３０で支持するように構成されている。連結部１３に、挿通孔２０の外に、吊下げボルト３０が水平方向に通過して挿通孔２０に進入可能な切り欠き部２３を設けるとともに、吊下げボルト３０が挿通孔２０に挿通されているとき、ナット３１が挿通孔２０の周縁の下面に当接した状態で吊下げボルト３０が切り欠き部２３を通って挿通孔２０から抜け出るのを規制する規制部２４を設ける。【選択図】図５
2016109319.tif 000002
【特許請求の範囲】
【請求項１】
天井裏に固定された吊下げボルトを、天吊り型空調機に設けた連結部の挿通孔に挿通し、前記吊下げボルトに螺合したナットが前記挿通孔の周縁の下面に当接して、前記天吊り型空調機の荷重を前記ナット及び前記吊下げボルトで支持するように構成された天吊り型空調機の支持構造であって、
前記連結部には、前記挿通孔の外に、前記吊下げボルトが水平方向に通過して前記挿通孔に進入可能な切り欠き部が設けられているとともに、前記吊下げボルトが前記挿通孔に挿通されているとき、前記ナットが前記挿通孔の周縁の下面に当接した状態で前記吊下げボルトが前記切り欠き部を通って前記挿通孔から抜け出るのを規制する規制部が設けられていることを特徴とする天吊り型空調機の支持構造。
【請求項２】
前記連結部は、水平方向に延びる水平部と、この水平部の一端から下方に垂下された垂直部とを有しており、前記挿通孔は、前記水平部の長手方向に沿って細長い長孔状に設けられており、前記切り欠き部は、前記垂直部から前記水平部に亘ってかつ前記挿通孔に連通するように設けられており、前記規制部は、前記垂直部の上端部の前記切り欠き部の幅寸法を前記垂直部の他の部位の前記切り欠き部の幅寸法よりも小さくすることで設けられている請求項１記載の天吊り型空調機の支持構造。
【請求項３】
前記連結部は、前記垂直部の下端から前記水平部と反対側に水平方向に延びる先端水平部を更に有しており、この先端水平部は、前記垂直部の前記切り欠き部を挟んで対向する対向片同士を連結するように形成されている請求項２記載の天吊り型空調機の支持構造。
【請求項４】
前記連結部は、対となる連結部同士が所定距離離間して設けられており、前記挿通孔は、対となる連結部同士を結ぶ直線方向に沿って細長い長孔状に設けられていて、前記対となる連結部同士は、その一方の連結部の挿通孔の一端側に対応する吊下げボルトが挿通された状態で他方の連結部に設けた切り欠き部への前記他方の連結部に対応する吊下げボルトの進入を許容するように構成されている請求項１ないし請求項３のいずれか一つに記載の天吊り型空調機の支持構造。
【発明の詳細な説明】
【技術分野】
【０００１】
本発明は、浴室の天井や店舗の天井等に設置される天吊り型空調機の支持構造に関する。
【背景技術】
【０００２】
従来、この種の天吊り型空調機の支持構造として、例えば特許文献１に記載されているように、天井裏に固定された吊下げボルト（吊り金具ともいう）を、天吊り型空調機に設けた連結部の挿通孔に挿通し、前記吊下げボルトに螺合したナットが前記挿通孔の周縁の下面に当接して、前記天吊り型空調機の荷重を前記ナット及び前記吊下げボルトで支持するように構成されたものは知られている。この場合、前記挿通孔は、位置ズレ等を吸収するために長孔状に設けられている。
【先行技術文献】
【特許文献】
【０００３】
【特許文献１】特開２０１４−５９８０号公報（第５頁、図１）
【発明の概要】
【発明が解決しようとする課題】
【０００４】
ところが、前記従来のものでは、天吊り型空調機の設置時に、作業者は、天吊り型空調機の荷重を支えながら、吊下げボルトの下端を、天吊り型空調機に設けた連結部の挿通孔に上方から挿通したり、吊下げボルトの下端にナットを螺合したりする必要がある。このため、複数の作業者で行わなければならず、その分作業効率が悪いという問題があった。
【０００５】
本発明はかかる点に鑑みてなされたものであり、その課題は、天吊り型空調機の設置時に作業者が従来の如く天吊り型空調機の荷重を支えることを不要にし、作業者一人でも容易に作業を行うことができ、作業効率の向上を図り得る天吊り型空調機の支持構造を提供することにある。
【課題を解決するための手段】
【０００６】
前記の課題を解決するため、本発明は、天吊り型空調機の支持構造として、天井裏に固定された吊下げボルトを、天吊り型空調機に設けた連結部の挿通孔に挿通し、前記吊下げボルトに螺合したナットが前記挿通孔の周縁の下面に当接して、前記天吊り型空調機の荷重を前記ナット及び前記吊下げボルトで支持するように構成されたことを前提とする。そして、前記連結部に、前記挿通孔の外に、前記吊下げボルトが水平方向に通過して前記挿通孔に進入可能な切り欠き部を設けるとともに、前記吊下げボルトが前記挿通孔に挿通されているとき、前記ナットが前記挿通孔の周縁の下面に当接した状態で前記吊下げボルトが前記切り欠き部を通って前記挿通孔から抜け出るのを規制する規制部を設けることを特徴とする。
【０００７】
この構成では、連結部に、挿通孔の外に、吊下げボルトが水平方向に通過して挿通孔に進入可能な切り欠き部が設けられているため、天吊り型空調機の設置時には、予め吊下げボルトにナットが螺合された状態で、切り欠き部から吊下げボルトを水平方向に通過させて、吊下げボルトを挿通孔に挿通することができる。このため、従来の如く作業者が天吊り型空調機の荷重を支えながら、吊下げボルトの下端を、天吊り型空調機に設けた連結部の挿通孔に上方から挿通したり、吊下げボルトの下端にナットを螺合したりする必要がないので、天吊り型空調機の設置作業を作業者一人で行うことが容易になり、作業効率を向上させることができる。
【０００８】
また、連結部に、吊下げボルトが挿通孔に挿通されているとき、ナットが挿通孔の周縁の下面に当接した状態で吊下げボルトが切り欠き部を通って挿通孔から抜け出るのを規制する規制部が設けられているため、一旦挿通孔に挿通された吊下げボルトが切り欠き部を通って不用意に挿通孔から抜け出ることはなく、天吊り型空調機の落下を防止できる。
【０００９】
ここで、本発明の特徴的な構成をより具体化した形態は、以下の通りである。すなわち、前記連結部は、水平方向に延びる水平部と、この水平部の一端から下方に垂下された垂直部とを有しており、前記挿通孔は、前記水平部の長手方向に沿って細長い長孔状に設けられており、前記切り欠き部は、前記垂直部から前記水平部に亘ってかつ前記挿通孔に連通するように設けられており、前記規制部は、前記垂直部の上端部の前記切り欠き部の幅寸法を前記垂直部の他の部位の前記切り欠き部の幅寸法よりも小さくすることで設けられている。
【００１０】
また、前記連結部は、前記垂直部の下端から前記水平部と反対側に水平方向に延びる先端水平部を更に有しており、この先端水平部は、前記垂直部の前記切り欠き部を挟んで対向する対向片同士を連結するように形成されていることが好ましい。この場合、先端水平部が、垂直部の切り欠き部を挟んで対向する対向片同士ひいては水平部の長孔状の挿通孔を挟んで対向する対向片同士を連結するように形成されているため、天吊り型空調機の荷重によって、水平部の挿通孔を挟んで対向する対向片同士の間隔が広がってしまい対向片同士の間をナットが上方に向けて通過して天吊り型空調機が落下することが防止できる。
【００１１】
更に、前記連結部は、対となる連結部同士が所定距離離間して設けられており、前記挿通孔は、対となる連結部同士を結ぶ直線方向に沿って細長い長孔状に設けられていて、前記対となる連結部同士は、その一方の連結部の挿通孔の一端側に対応する吊下げボルトが挿通された状態で他方の連結部に設けた切り欠き部への前記他方の連結部に対応する吊下げボルトの進入を許容するように構成されていることが好ましい。この場合、天吊り型空調機の設置時には、対となる２つの連結部のうちの一方の連結部の挿通孔に対応する吊下げボルトを挿通し、その後、一方の連結部に対応する吊下げボルトを挿通孔の一端側に寄せた状態で他方の連結部に設けた切り欠き部から他方の連結部に対応する吊下げボルトを進入させて、他方の連結部に対応する吊下げボルトを他方の連結部の挿通孔に挿通することができるので、作業効率を一層向上させることができる。
【発明の効果】
【００１２】
本発明における天吊り型空調機の支持構造によれば、従来の如く作業者が天吊り型空調機の荷重を支えながら、吊下げボルトの下端を、天吊り型空調機に設けた連結部の挿通孔に上方から挿通したり、吊下げボルトの下端にナットを螺合したりする必要がないので、天吊り型空調機の設置作業を作業者一人でも容易に行うことができ、作業効率を向上させることができる。また、一旦挿通孔に挿通された吊下げボルトが切り欠き部を通って不用意に挿通孔から抜け出ることはなく、天吊り型空調機の落下を防止できるので、実施化を図る上で有利なものである。
【図面の簡単な説明】
【００１３】
【図１】図１は本発明の実施形態に係る浴室空調システムの全体構成を示す概略斜視図である。
【図２】図２は前記浴室空調システムの主要な機器である天吊り型空調機のグリル板を取り外した状態で天吊り型空調機の支持構造を天井裏側から見た斜視図である。
【図３】図３は同じく天吊り型空調機の支持構造を浴室内から見た斜視図である。
【図４】図４は前記天吊り型空調機の支持構造を分解した状態で天井裏側から見た分解斜視図である。
【図５】図５は図２のＸ方向から見た矢視図である。
【図６】図６は前記支持構造の主要な部品である連結部材の斜視図である。
【図７】図７Ａは前記天吊り型空調機の設置状態における天吊り型空調機の支持構造を示す模式平面図、図７Ｂは同じく模式正面図である。
【図８】図８Ａは前記天吊り型空調機の設置途中における天吊り型空調機の支持構造を示す模式平面図、図８Ｂは同じく模式正面図である。
【発明を実施するための形態】
【００１４】
以下、本発明を実施するための形態である実施形態を図面に基づいて説明する。
【００１５】
図１は本発明の一実施形態に係る浴室空調システムの全体構成を示し、１は浴槽２を備えた浴室、３は浴室１の天井１ａに設置された天吊り型空調機、４は浴室１から離れた屋外等に設置された熱源機であり、天吊り型空調機３と熱源機４とは、熱媒体が循環するように循環管路５を介して接続されている。
【００１６】
天吊り型空調機３は、図示していないが、本実施形態の場合、機能的に暖房機能と乾燥機能とミスト発生機能とを有し、ミスト機能付き浴室暖房乾燥機とも称される。尚、天吊り型空調機３としては、ミスト機能付き浴室暖房乾燥機に限らず、浴室暖房換気乾燥機であっても良いし、浴室乾燥機であっても良く、特に限定されない。
【００１７】
また、天吊り型空調機３は、図２ないし図４に示すように、浴室１の天井１ａに設けた取付開口６に下面側が臨んだ状態で天井裏に設置された空調機本体７と、空調機本体７の設置後に取付開口６の下方から空調機本体７の下面側を覆うように空調機本体７に装着されるグリル板８とを備えている。
【００１８】
空調機本体７ひいては天吊り型空調機３を設置するための支持構造１０は、天吊り型空調機３（詳しくは空調機本体７）の４箇所にそれぞれ取り付けられた連結部材１１と、各連結部材１１に対応して天井裏のスラブ等に固定された吊下げボルト３０と、吊下げボルト３０の下端部に螺合されるナット３１とを備える。そして、各連結部材１１の後述する挿通孔２０に対応する吊下げボルト３０を挿通し、この吊下げボルト３０に螺合したナット３１が挿通孔２０の周縁の下面に当接して、天吊り型空調機３の荷重をナット３１及び吊下げボルト３０で支持するように構成されている。
【００１９】
また、支持構造１０は、吊下げボルト３０のナット３１よりも上側位置に螺合される上側ナット３２と、吊下げボルト３０のナット３１と上側ナット３２との間に被嵌される上側防振ゴム３３及び下側防振ゴム３４とを備える。そして、上側防振ゴム３３及び下側防振ゴム３４によって連結部材１１の挿通孔２０の周縁を上下から挟み込んだ状態で、上側ナット３２とナット３１によって上側防振ゴム３３及び下側防振ゴム３４が上下から挟み込まれるようになっており、これにより、天吊り型空調機３の運転時にその振動が吊下げボルト３０の固定側に伝達するのを抑制するようになっている。
【００２０】
連結部材１１は、図５及び図６に拡大詳示するように、大別して、空調機本体７に取り付けるための取付部１２と、吊下げボルト３０と連結するための連結部１３とからなる。取付部１２は、空調機本体７にねじ棒１４及び固定ナット１５等で固定される固定座部１６と、この固定座部１６から空調機本体７の側面に沿って立設された支柱部１７と有している。
【００２１】
連結部１３は、取付部１２の支柱部１７の上端から水平方向でかつ空調機本体７と離間する方向に延びる水平部１８と、この水平部１８の一端（先端）から下方に垂下された垂直部１９とを有している。水平部１８には、その長手方向に沿って細長い長孔状の挿通孔２０が設けられているとともに、この挿通孔２０を挟んで対向する一対の対向片２１，２１の側縁部をそれぞれ上方に折り曲げてなる一対のフランジ部２２，２２が設けられている。
【００２２】
連結部１３には、挿通孔２０の外に、吊下げボルト３０が水平方向に通過して挿通孔２０に進入可能な切り欠き部２３が設けられているとともに、吊下げボルト３０が挿通孔２０に挿通されているとき、ナット３１が下側防振ゴム３４を介して挿通孔２０の周縁の下面に当接した状態で吊下げボルト３０が切り欠き部２３を通って挿通孔２０から抜け出るのを規制する規制部２４が設けられている。切り欠き部２３は、垂直部１９から水平部１８に亘ってかつ挿通孔２０に連通するように設けられている。規制部２４は、垂直部１９の上端部の切り欠き部２３の幅寸法を垂直部１９の他の部位の切り欠き部２３の幅寸法よりも小さくすることで設けられている。ここで、垂直部１９の上端部の切り欠き部２３の幅寸法は、挿通孔２０の幅寸法と同一であり、吊下げボルト３０の直径よりも若干大きく設定されている。また、垂直部１９の他の部位つまり上端部以外の部位の切り欠き部２３の幅寸法は、ナット３１の直径及び下側防振ゴム３４の直径よりも大きく設定されている。
【００２３】
連結部１３は、更に、垂直部１９の下端から水平部１８と反対側に水平方向に延びる先端水平部２５を有している。先端水平部２５は、垂直部１９の切り欠き部２３を挟んで対向する一対の対向片２６，２６同士を連結するように平面視でアーチ状に形成されている。
【００２４】
天吊り型空調機３の４箇所にそれぞれ取り付けられる連結部材１１の連結部１３は、図７に模式的に示すように、天吊り型空調機３を一方向（図７で左右方向）に挟んで所定距離離間して位置する２つの連結部１３，１３同士が対を構成するようになっている。挿通孔２０は、対となる連結部１３，１３同士を結ぶ直線方向に沿って細長い長孔状に設けられている。そして、対となる連結部１３，１３同士は、図８に示すように、その一方の連結部１３の挿通孔２０の長手方向一端側に対応する吊下げボルト３０が挿通された状態で他方の連結部１３に設けた切り欠き部２３への他方の連結部１３に対応する吊下げボルト３０の進入を許容するように構成されている。
【００２５】
尚、図１中、４１は浴室１外に設けられた天吊り型空調機３の操作リモコンである。また、図３中、４２は浴室１の天井１ａに設けられた点検口である。
【００２６】
次に、前記実施形態の作用効果を説明するに、天吊り型空調機３に取り付けた連結部材１１の連結部１３に、挿通孔２０の外に、吊下げボルト３０が水平方向に通過して挿通孔２０に進入可能な切り欠き部２３が設けられているため、天吊り型空調機３の設置時には、予め吊下げボルト３０に、上側ナット３２及びナット３１が螺合されかつその間に上側防振ゴム３３及び下側防振ゴム３４が被嵌された状態（図４参照）で、切り欠き部２３から吊下げボルト３０を水平方向に通過させて、吊下げボルト３０を挿通孔２０に挿通することができる。このため、従来の如く作業者が天吊り型空調機３の荷重を支えながら、吊下げボルト３０の下端を、天吊り型空調機３に取り付けた連結部材１１の連結部１３の挿通孔２０に上方から挿通したり、吊下げボルト３０の下端から防振ゴム３３，３４を被嵌したり、吊下げボルト３０の下端にナット３１を螺合したりする必要がないので、天吊り型空調機３の設置作業を作業者一人で行うことが容易になり、作業効率を向上させることができる。
【００２７】
また、連結部１３に、吊下げボルト３０が挿通孔２０に挿通されているとき、ナット３１が下側防振ゴム３４を介して挿通孔２０の周縁の下面に当接した状態で吊下げボルト３０が切り欠き部２３を通って挿通孔２０から抜け出るのを規制する規制部２４が設けられているため、一旦挿通孔２０に挿通された吊下げボルト３０が切り欠き部２３を通って不用意に挿通孔２０から抜け出ることはなく、天吊り型空調機３の落下を防止することができる。
【００２８】
特に、本実施形態の場合、連結部１３は、挿通孔２０が設けられた水平部１８と、切り欠き部２３が設けられた垂直部１９を有するだけでなく、垂直部１９の下端から水平部１８と反対側に水平方向に延びる先端水平部２５をも有し、この先端水平部２５は、垂直部１９の切り欠き部２３を挟んで対向する一対の対向片２６，２６同士を連結するように形成されている。このため、天吊り型空調機３の荷重によって、水平部１８の挿通孔２０を挟んで対向する一対の対向片２１，２１同士の間隔が広がってしまい対向片２１，２１同士の間をナット３１及び下側防振ゴム３４が上方に向けて通過して天吊り型空調機３が落下することが防止できる。
【００２９】
また、天吊り型空調機３の４箇所にそれぞれ取り付けられる連結部材１１の連結部１３は、対となる２つの連結部１３，１３同士が所定距離離間して設けられており、挿通孔２０は、対となる連結部１３，１３同士を結ぶ直線方向に沿って細長い長孔状に設けられていて、対となる連結部１３，１３同士は、その一方の連結部１３の挿通孔２０の長手方向一端側に対応する吊下げボルト３０が挿通された状態で他方の連結部１３に設けた切り欠き部２３への、他方の連結部１３に対応する吊下げボルト３０の進入を許容するように構成されている。このため、天吊り型空調機３の設置時には、対となる２つの連結部１３，１３のうちの一方の連結部１３の挿通孔２０に対応する吊下げボルト３０を挿通し、その後、一方の連結部１３に対応する吊下げボルト３０を挿通孔２０の一端側に寄せた状態で他方の連結部１３に設けた切り欠き部２３から他方の連結部１３に対応する吊下げボルト３０を進入させて（図８参照）、他方の連結部１３に対応する吊下げボルト３０を他方の連結部１３の挿通孔２０に挿通する（図７参照）ことができるので、作業効率を一層向上させることができる。
【００３０】
尚、本発明は前記実施形態に限定されるものではなく、その他種々の形態を包含するものである。例えば前記実施形態では、浴室空調システムの天吊り型空調機３を浴室１の天井１ａに設置する場合について述べたが、本発明は、これに限らず、浴槽２のない浴室つまりシャワールームの天井や店舗の天井等に設置される天吊り型空調機にも同様に適用することができ、同様な作用効果を奏することができる。
【００３１】
また、前記実施形態では、天吊り型空調機３の空調機本体７と別体に、取付部１２と連結部１３とからなる連結部材１１を形成し、この連結部材１１を空調機本体７ひいては天吊り型空調機３に取り付けて天吊り型空調機３に連結部１３を設けるようにしたが、本発明は、天吊り型空調機３の空調機本体７のケーシング等に連結部を一体に設けるようにしても良いのは勿論である。
【００３２】
更に、前記実施形態では、天吊り型空調機３の支持構造１０としては、吊下げボルト３０のナット３１と上側ナット３２との間に被嵌される上側防振ゴム３３及び下側防振ゴム３４を備える構成にしたが、本発明は、このような防振ゴム３３，３４を必ずしも備える必要はない。
【００３３】
加えて、前記実施形態では、連結部１３は、挿通孔２０が設けられた水平部１８と、切り欠き部２３が設けられた垂直部１９とを有するだけでなく、垂直部１９の下端から水平部１８と反対側に水平方向に延びる先端水平部２５をも有し、この先端水平部２５は、垂直部１９の切り欠き部２３を挟んで対向する一対の対向片２６，２６同士を連結するように形成される構成にしたが、本発明は、先端水平部２５の代わりに、垂直部１９の下端側に、垂直部１９の切り欠き部２３を挟んで対向する一対の対向片２６，２６同士を連結する連結体を設ける構成にしたり、場合によっては、垂直部１９の切り欠き部２３を挟んで対向する一対の対応片２６，２６同士を連結しない構成にしたりしても良い。
【符号の説明】
【００３４】
３    天吊り型空調機
１０    支持構造
１１    連結部材
１３    連結部
１８    水平部
１９    垂直部
２０    挿通孔
２３    切り欠き部
２４    規制部
２５    先端水平部
２６    対向片
３０    吊下げボルト
３１    ナット
【図１】
2016109319.tif 000003
【図２】
2016109319.tif 000004
【図３】
2016109319.tif 000005
【図４】
2016109319.tif 000006
【図５】
2016109319.tif 000007
【図６】
2016109319.tif 000008
【図７】
2016109319.tif 000009
【図８】
2016109319.tif 000010